(57)【要約】【課題】  カップのズレや型崩れが生じにくいカップ付き女性用衣類を提供する。【解決手段】  ボーン５０ａは、長手方向に長い可撓性を有する板状部材である。ボーン５０ａは、幅方向に屈曲Ｆが設けられている。ボーン５０ａは裏面に長手方向に伸びる溝５４を有する。ボーン５０ａは、厚さ方向に湾曲Ｃが設けられている。さらに、ボーン５０ａは、長手方向に平行な軸周りにひねりＴが設けられている。湾曲したボーンにひねりと屈曲をあわせて設けたことで、カップをバストにフィットさせ続け、美麗なカップのシルエットを維持することができる。【選択図】図４
2005281897.tif 000002
【特許請求の範囲】
【請求項１】
カップ付き女性用衣類のカップに配設されるボーンであって、前記ボーンは可撓性を有する長手方向に長い板状部材であり、厚さ方向に湾曲し、かつ長手方向の軸周りにひねりを有するものであることを特徴とするボーン。
【請求項２】
カップ付き女性用衣類のカップに配設されるボーンであって、前記ボーンは可撓性を有する長手方向に長い板状部材であり、厚さ方向に湾曲し、かつ長手方向に伸びる２辺の曲率が異なることを特徴とするボーン。
【請求項３】
カップ付き女性用衣類のカップに配設されるボーンであって、前記ボーンは可撓性を有する長手方向に長い板状部材であり、厚さ方向に湾曲し、かつ該湾曲を平面に伸ばすと幅方向に屈曲を有することを特徴とするボーン。
【請求項４】
長手方向に伸びる１本ないし３本の溝を有することを特徴とする請求項１ないし請求項３のいずれか１項に記載のボーン。
【請求項５】
左右一対のカップを備えたカップ付き女性用衣類であって、前記カップの前中心側および脇側に請求項１ないし請求項４のいずれか１項に記載のボーンがその表面をカップ内面に接して上下方向に配設され、前記ボーンのひねりは、ボーンの裏面が、ボーンが配設されたカップの中心を向く方向にひねられていることを特徴とするカップ付き女性用衣類。
【発明の詳細な説明】
【技術分野】
【０００１】
本発明は、ボーンおよびカップ付き女性用衣類に関する。
【背景技術】
【０００２】
ブラジャー、ブラキャミソール、ボディティディ、水着、あるいはレオタード等のカップ付き女性用衣類は、カップ部に形状安定性および補整作用を向上させるため、補強材として合成樹脂等から成るボーン（骨材）が配設されることがある。
【０００３】
図６は、従来のストラップレスブラジャーの構造を示す正面図である。従来のブラジャー１は、左右一対のカップ４が、前中心側で前中心布２により連結・縫製されている。また、バック布３が左右のカップ４の脇側に連結・縫製されている。カップ４には、カップの形状安定性および補整作用を向上させるため、ボーン５が配設されている。
【０００４】
図７は従来のボーンの正面図である。図７に示すように、ボーン５は可撓性を有する合成樹脂製の板状部材である。図８は従来のボーンの側面図である。図８に示すように、ボーン５はカップ形状に合わせて、部材の厚さ方向に湾曲したものとなっている（例えば特許文献１の図１〜３参照）。
【特許文献１】特開平７−２５２７０４号公報（図１〜３）
【発明の開示】
【発明が解決しようとする課題】
【０００５】
一般的消費者のニーズは、軽い着け心地で、ズレ感がなく、カップがバストから浮いてしまうカップ浮きがなく、カップシルエットが崩れにくいブラジャー等が欲しいというものである。
【０００６】
しかし、前述したような単なる湾曲しただけのボーンを備えたブラジャー等では、カップをバストにフィットさせ続けることが難しい（追従性が劣る）。特に、背伸びをするとカップの上縁がバストから浮く。これは、バストは体の動きにより、その位置や形状が大きく変化するからである。
【０００７】
図１０（ａ）〜（ｅ）は、手を上げたためブラジャーにずれが生じる様子を示した説明図である。ストラップレスブラジャーは、図１０（ａ）に示すような手を下げたときのバストの位置や形状に合わせて着用する（図１０（ｂ））。ところが図１０（ｃ）に示すように、運動等で手を上げた状態になると、乳頭は高くなり、両乳頭間の間隔は狭くなる。また、バージス形状は横長の楕円形から縦長の楕円形に変化する。そうすると、従来のストラップレスブラジャーは、バストの移動や形状の変化に充分な対応をすることができず（図１０（ｄ））、カップの上辺がバストから浮いてしまう（図１０（ｅ））。その結果、運動等で体を動かした場合には、充分なフィット感が得られないことになる。
【０００８】
さらに、単なる湾曲しただけのボーンを備えたブラジャー等では、美麗なカップのシルエットを維持するのが難しい。特に、柔らかい素材でカップを縫製した場合、カップの保形性が落ちて、型崩れしやすい。
【０００９】
本発明は、斯かる実情に鑑み、前述したようなカップのズレや型崩れが生じにくいカップ付き女性用衣類を提供しようとするものである。
【課題を解決するための手段】
【００１０】
本発明は、カップ付き女性用衣類のカップに配設されるボーンであって、ボーンは可撓性を有する長手方向に長い板状部材であり、厚さ方向に湾曲し、かつ長手方向の軸周りにひねりを有するものであることを特徴とする。
なお、この場合の「長手方向の軸周りにひねりを有する」とは、湾曲するボーンにおける任意の接線を軸として、その周りにひねりを有することを意味する。
【００１１】
また本発明は、カップ付き女性用衣類のカップに配設されるボーンであって、ボーンは可撓性を有する長手方向に長い板状部材であり、厚さ方向に湾曲し、かつ長手方向に伸びる２辺の曲率が異なることを特徴とする。
【００１２】
また本発明は、カップ付き女性用衣類のカップに配設されるボーンであって、ボーンは可撓性を有する長手方向に長い板状部材であり、厚さ方向に湾曲し、かつ湾曲を平面に伸ばすと幅方向に屈曲を有することを特徴とする。
【００１３】
上記の構成によれば、厚さ方向に湾曲したボーンにひねりが与えられていることで、湾曲に対する保形性やバネ性が高まる。また、幅方向に屈曲（湾曲を伸ばして平面にした場合）を加えたことで、ひねりの保形性が高まる。そしてボーンにひねりと屈曲をあわせて付与したことにより、本発明のボーンは、カップをバストにフィットさせ続け、かつ美麗なカップのシルエットを維持することができる。
【００１４】
この場合、長手方向に伸びる１本ないし３本の溝を有することが好ましい。
このようにボーンの長手方向に沿って伸びる１〜３本の溝が形成されることで、ボーンの保形性、特にひねりに対する保形性を高めることができる。
【００１５】
そして本発明は、左右一対のカップを備えたカップ付き女性用衣類であって、カップの前中心側および脇側に前述した本発明のボーンがその表面をカップ内面に接して上下方向に配設され、ボーンのひねりは、ボーンの裏面が、ボーンが配設されたカップの中心を向く方向にひねられていることを特徴とする。
【００１６】
上記の構成によれば、カップ付き女性用衣類において、前述の本発明のボーンをカップの両サイドから使い、バストを両側からはさみこんで支えるので、着用者が動いてもカップが崩れず、バストにぴったりとフィットしてカップのズレを防止することができる。また、カップの保形性が向上し、カップシルエットを維持することができる。
【発明の効果】
【００１７】
本発明のボーンおよびカップ付き女性用衣類によれば、着用者が運動等をしてもカップがずれることがなく、快いフィット感が得られる。また、カップの型崩れがおきにくく、バストシルエットを美しく保つことができる。
【発明を実施するための最良の形態】
【００１８】
以下、本発明の実施の形態について添付図面を参照して説明する。
図１は、本実施形態に係るストラップレスブラジャーの構造を示す正面図である。図１に示すように、本発明のストラップレスブラジャー１０は、左右一対のカップ４０Ｌ、４０Ｒと、左右のカップ４０Ｌ、４０Ｒを前中心側で連結・縫製する前中心布２０と、左右のカップ４０Ｌ、４０Ｒの脇側に連結・縫製されたバック布３０を備えて構成されている。
【００１９】
カップ４０Ｌ、４０Ｒには、カップ４０Ｌ、４０Ｒの下縁に沿ってＵ字状にカップワイヤー部１１が設けられている。カップワイヤー部１１は形状記憶合金あるいは樹脂製のカップワイヤーを内蔵する（図示せず）。これにより、保形性を高めバストシルエットを維持する。左胸用カップ４０Ｌは、その脇側にボーン５０ａが配設され、その前中心側にボーン５０ｂが配設されている。一方、右胸用カップ４０Ｒは、その脇側にボーン５０ｃが配設され、その前中心側にボーン５０ｄが配設されている。これらのボーン５０ａ〜５０ｄは、その下端をカップ４０Ｌ、４０Ｒの下縁部に直接縫い付けられて固定されている。またボーン５０ａ〜５０ｄのもう一方の端は、カップ４０Ｌ、４０Ｒの上縁部に接している。そして、ボーン５０ａ〜５０ｄは袋状の布材中に摺動可能に収容されて配設される。
なお、図１の例では、ボーンの下端はカップの下縁部に直接縫い付けられているが、袋状の布材中に摺動可能に収容されて配設されていれば、ボーンの下端が縫い付けられていなくとも、フィット感を向上させ、カップシルエットを維持する効果を奏する。また、ボーンの上端は、カップ上縁に接していなくとも、ボーン上端がバストトップの位置より上方にあれば、上記の効果を奏する。
【００２０】
次に、本実施形態に係るボーンについて説明する。なお、図１に示すボーン５０ａ〜５０ｄはほぼ同様の構造を有するため、以下、左胸用カップ４０Ｌの脇側に配設されるボーン５０ａについて中心に説明する。図２は本実施形態に係るボーンの正面図である。カップへの配設時には、ほぼ図に示す上下方向で、正面（表面）をカップ内面に接して配設される。なお、図２はボーン５０ａの湾曲を平面に伸ばした様子を示す。図２に示すように、ボーン５０ａは、長手方向に長い可撓性を有する板状部材である。その材質は、樹脂、金属（形状記憶合金）、芯地、テープ状部材等から成る。上記樹脂材料としては、例えば、熱可塑性ポリエステルエラストマ（ＴＥＥＥ）が、強度、耐熱性、耐寒性、耐薬品性に優れ、加工性が良いため、ボーンの材料として適している。
【００２１】
ボーン５０ａの幅はほぼ一様であり、その縦横比は、４：１〜９：１であり、より好ましくは５：１〜８：１である。また、ボーン５０ａの厚さは、０．３〜２．５ｍｍであり、より好ましくは０．５〜２．０ｍｍとされる。
【００２２】
ボーン５０ａの上下両端は、カップの上縁および下縁の形状に合わせた斜辺とされている。また、ボーン５０ａは、その下端に薄肉部（縫い代）５２を有する。薄肉部５２は、その厚さを０．１〜０．８ｍｍに薄肉化されている。そして、カップへの配設時には、薄肉部５２は、その薄い部分を通して直にカップに縫い付けられて固定される。
【００２３】
ボーン５０ａは湾曲を平面に伸ばした場合、幅方向に屈曲Ｆを有する。左胸用カップ４０Ｌの脇側に配設されるボーン５０ａは、前中心側に曲がるように屈曲Ｆが設けられている。ボーンの有効長ｌ（ボーンの幅１／２の点を通る線の長さ）に対する屈曲Ｆの曲がり量ｆ（ボーンの幅１／２の点を通る線のボーン先端における幅方向への変位）は、好ましくは１：１５〜１：９０であり、より好ましくは１：２０〜１：８０とされる。また、屈曲Ｆの屈曲点Ｆｐ（ボーンの幅１／２の点を通る線の屈曲が始まる点）は、ボーン５０ａの上部２／３〜１／３の範囲とされる。
【００２４】
図３は、本実施形態に係るボーンの背面図である。なお、図３はボーン５０ａの湾曲を平面に伸ばした様子を示す。図３に示すように、本実施形態のボーン５０ａは裏面に長手方向に伸びる溝５４を有する。溝の数は１〜３本であり、好ましくは２本である。また溝の幅は０．５〜２．５ｍｍであり、より好ましくは１．０〜２．０ｍｍとされる。さらに溝の深さは、０．２〜１ｍｍであり、好ましくは０．４〜０．８ｍｍとされる。
【００２５】
図４は、本実施形態に係るボーンの側面図である。この図では、ボーン５０ａを前中心側（図２における左側、図３における右側）から見た様子を示す。図４に示すように、ボーン５０ａは、厚さ方向に湾曲Ｃが設けられている。湾曲Ｃはカップ４０Ｌの内面の形状に沿っており、湾曲の曲がりの中心は、ボーン５０ａの上部２／３〜１／３の範囲に設けられる。さらに、ボーン５０ａは、長手方向の軸周りにひねりＴが設けられている。ひねりＴの向きは、ボーン５０ａの上部の裏面（バストに接する面）が、カップ４０Ｌの中心方向（前中心側方向）に向くようにひねられる。ひねりＴは、好ましくは、ボーン５０ａの上部１／３の範囲に設けられる。ひねりの角度は、好ましくは１０°〜４０°であり、より好ましくは１５°〜３５°とされる。
【００２６】
湾曲したボーン５０ａの長手方向に伸びる辺５６、５８の曲率は、その基端（下端）から先端（上端）に至る中途箇所までは同一であり、その中途箇所から先端（上端）に至るにつれて徐々に曲率差が大きくなるようにされている。好ましくは、長手方向に伸びる辺５６、５８の曲率は、ボーン５０ａの基端（下端）から下部２／３の範囲までは同一であり、ボーン５０ａの上部１／３の範囲で異なるようにされている。
【００２７】
図９は、本実施形態に係るボーンを製造する様子を示した図である。上記のようなボーンを製造する際には、例えば図９に示すように、曲げられた心棒１００に、熱可塑性の合成樹脂帯２００を巻き付けることにより製造する。そして、心棒１００を引き抜いた後、所定の長さに切断することにより、上記したような、湾曲、屈曲、ひねりを有するボーンを製造することができる。
【００２８】
なお、左胸用カップ４０Ｌの前中心側に設けられるボーン５０ｂは、配設箇所に合わせて上下端の斜辺の向きがボーン５０ａと反対の向きに設けられる。また、ボーン５０ｂのひねりＴは、ボーン５０ｂの上部の裏面（バストに接する面）が、カップ４０Ｌの中心方向（脇側方向）を向くように、ボーン５０ａと反対方向にひねられる。さらに、右胸用カップ４０Ｒに配設されるボーン５０ｃ、５０ｄは、それぞれ左胸用カップ４０Ｌのボーン５０ａ、５０ｂと左右対称の構造を有する。
【００２９】
次に本実施形態のボーンの作用について説明する。図２〜４に示したように、本実施形態のボーンは、ひねりが設けられている。そのため、湾曲に対する保形性やバネ性が高められている。また、ボーンは、それぞれ幅方向に屈曲が設けられているため、ひねりの保形性が高められている。このように、本実施形態のボーンは、三次元的に湾曲と屈曲とひねりが設けられた結果、従来の一次元的に湾曲のみが加えられたボーンに比べて保形性およびバネ性が著しく向上している。さらに、ボーンの裏面には長手方向に溝が形成されているため、ボーンの保形性、特にひねりに対する保形性が向上している。これにより、ボーンが配設されたカップの保形性を向上させることができ、その結果、美麗なカップのシルエットを維持することができる。
【００３０】
図５は、本実施形態に係るボーンの作用を示す説明図である。この図では、左胸用カップ４０Ｌの周辺を示している。前述したように、ボーン５０ａ，５０ｂのひねりは、カップ４０Ｌの中心方向に、それぞれのボーン上部の裏面（バストに接する面）が向くようにされている。その結果、図５の矢印に示すように、バストの両サイドのボーン５０ａ、５０ｂは、バストを両サイドからはさみこんで支えるようになり、着用者が運動等をしてもカップが崩れず、バストにぴったりフィットするようになる。これにより、カップのズレを防止することができる。
【００３１】
尚、本発明のボーンおよびカップ付き女性用衣類は、上記した実施の形態に限定されるものではなく、本発明の要旨を逸脱しない範囲内において種々変更を加え得ることは勿論である。
【００３２】
例えば、本発明のボーンは、上記実施形態で説明したようなストラップレスのワイヤーフォーム型ブラジャー（下着）に特に好適なものであるが、適用範囲はこれに限定されず、その他のブラジャー、ブラスリップ、ブラキャミソール、ボディスーツ、ボディティディ等のファンデーション衣類、あるいは水着やレオタード等の種々のカップ付き女性用衣類に適用可能なものである。
【図面の簡単な説明】
【００３３】
【図１】本実施形態に係るストラップレスブラジャーの構造を示す正面図である。
【図２】本実施形態に係るボーンの正面図である。
【図３】本実施形態に係るボーンの背面図である。
【図４】本実施形態に係るボーンの側面図である。
【図５】本実施形態に係るボーンの作用を示す説明図である。
【図６】従来のストラップレスブラジャーの構造を示す正面図である。
【図７】従来のボーンの正面図である。
【図８】従来のボーンの側面図である。
【図９】本実施形態に係るボーンを製造する様子を示した図である。
【図１０】（ａ）〜（ｅ）は、手を上げたためブラジャーにずれが生じる様子を示した説明図である。
【符号の説明】
【００３４】
１…ブラジャー、２…前中心布、３…バック布、４…カップ、５…ボーン
１０…ブラジャー、１１…カップワイヤー部、２０…前中心布、３０…バック布、４０Ｌ，４０Ｒ…カップ、５０ａ，５０ｂ，５０ｃ，５０ｄ…ボーン、５２…薄肉部（縫い代）、５４…溝、５６，５８…長手方向に伸びる辺
１００…心棒、２００…合成樹脂帯
Ｆ…屈曲、Ｃ…湾曲、Ｔ…ひねり
ｆ…曲がり量、ｆｐ…屈曲点、ｌ…有効長
【図１】
2005281897.tif 000003
【図２】
2005281897.tif 000004
【図３】
2005281897.tif 000005
【図４】
2005281897.tif 000006
【図５】
2005281897.tif 000007
【図６】
2005281897.tif 000008
【図７】
2005281897.tif 000009
【図８】
2005281897.tif 000010
【図９】
2005281897.tif 000011
【図１０】
2005281897.tif 000012